(57)【特許請求の範囲】
【請求項１】
情報を記録または再生するためのディスクを収納してるカートリッジが装着されるディスク装置であって、該カートリッジは該ディスクを露出するように開放できるシャッターを有し、
該ディスク装置は、該カートリッジを非装着状態から装着状態へ搬送するディスク搬送部と、該シャッターを、該カートリッジの搬送方向に直交するスライド方向に開放させるオープナと、を備えており、該カートリッジの該搬送方向における先端面は、該搬送方向に平行な第１の先端面および該スライド方向に平行な第２の先端面を有しており、該第１の先端面に該オープナからの該スライド方向における押圧力が与えられることにより該シャッターが開放するようになっており、
該オープナは、該シャッターの開放動作の少なくとも略前半において、該第１の先端面に押圧力を与えるが、該第２の先端面には実質的に押圧力を与えないようになっている、ディスク装置。
【請求項２】
前記オープナは、前記シャッターの開放動作の少なくとも略前半において、前記第１の先端面に接するが、前記第２の先端面には接しないようになっている、請求項１に記載のディスク装置。
【請求項３】
前記ディスク搬送部は、前記搬送方向における該カートリッジの外側に設けられた押圧部を備えており、前記シャッターの開放動作の少なくとも略前半において、該押圧部が前記オープナに接触するようになっている、請求項１に記載のディスク装置。
【請求項４】
前記接触の接触点と前記第２の先端面との間隔は、該接触点と該オープナの該カートリッジに最も近い表面との間隔より大きい、請求項３に記載のディスク装置。
【請求項５】
前記オープナと前記押圧部は、前記シャッターの開放動作の略前半において互いに接触し、該シャッターの開放動作の略後半においては互いに接触しないように構成されている、請求項３に記載のディスク装置。
【発明の詳細な説明】
【０００１】
【発明の属する技術分野】
本発明は、ディスク装置に関し、特に、情報を記録又は再生するディスクを、カートリッジに収納した状態で、非装着状態から装着状態になるようにディスク装置本体内へ搬送するディスク装置に関する。
【０００２】
【従来の技術】
従来のディスク装置として特開平９−９１８２１号公報に記載されたものが知られている。以下に、図面を参照しながらこの従来のディスク装置を説明する。
【０００３】
図８は、従来によるディスク装置８００の要部構成を示す上面平面図である。ディスク装置８００は大きく分けて、ディスク装置本体５１およびトレイ５２により構成される。トレイ５２は、ディスク５３を収納したカートリッジ５４を、ディスク装置本体５１に対し非装着状態から装着状態になるように方向Ｔ（搬送方向または挿入方向）に沿って搬送、または装着状態から非装着状態になるように方向Ｔに反対の方向Ｔ'に沿って搬送するためのものである。カートリッジ５４は、ディスク５３を露出するように開放できるシャッター５５を備えている。図８は、トレイ５２がディスク装置本体５１の外にある状態、すなわちカートリッジ５４が非装着状態の場合の様子を示している。
【０００４】
以下に、図８さらに図９を参照しながら、ディスク装置８００の構成をより詳細に説明する。図９は、ディスク装置８００の要部構成の側面図であり、トレイ５２部分の図８における線ＩＸ-ＩＸに沿った断面図、およびディスク装置本体５１部分の図８に示す方向Ｄから見た場合の透視図を含む。
【０００５】
ディスク装置本体５１は天板５７を備えている。天板５７は、クランプアーム５８、オープナ６１を保持している。クランプアーム５８にはクランパ６０が回動自在に保持されており、クランパ６０は、クランプアーム５８により駆動され、ディスク５３をディスク装置本体５１のディスクモータ６７に押圧するものである。クランプアーム５８にはさらにクランプアームバネ５９が設けられており、クランプアームバネ５９によりクランプアーム５８の復帰力が発生する。
【０００６】
オープナ６１はカートリッジ５４のシャッター５５を開閉する手段であり、オープナ６１装着回動軸６３を中心に回動自在に保持されている。オープナ６１にはオープナバネ６２が設けられており、バネ掛け用窓６５より突出したバネ掛け凸部６４と、天板５７に設けられたバネフック６６との間に支持され、オープナ６１を所定の位置に復帰させる。カートリッジ５４がディスク装置本体５１内に搬送される途中に、シャッター５５は、オープナ６１の先端部に当たり、オープナ６１からの押圧力によりスライド方向Ｓにスライドする。このスライド動作によりシャッター５５はディスク５３を露出するように開放する。
【０００７】
ディスク装置本体５１は、さらにモータ支持ベース６８を有する。モータ支持ベース６８は、ディスクモータ６７、位置決めピン６９、カートリッジ支持ピン７０などを保持している。モータ支持ベース６８は、図９に示されるように、カートリッジ５４の非装着状態の場合では傾斜して（すなわち、方向Ｔに沿っていないこと）、カートリッジ５４の挿入に対して待避している。カートリッジ５４が装着されると、モータ支持ベース６８は、カートリッジ５４に近づいて傾斜状態から方向Ｔに沿うような水平状態に変わる。位置決めピン６９は、ディスク装置本体５１内に搬入されたカートリッジ５４の位置決め孔５６と係合することで、カートリッジ５４の水平方向および高さ方向の位置決めを行なう。カートリッジ支持ピン７０は、カートリッジ５４の高さ方向の位置決めを行なう。
【０００８】
【発明が解決しようとする課題】
図１０（ａ）は、図８に対応し、カートリッジ５４の図８に示すような非装着状態から装着状態に搬送される途中の状態を示す。図１０（ｂ）は図１０（ａ）に示すシャッター５５とオープナ６１との接触部分を拡大して示している。図１０（ｂ）に示すように、シャッター５５を開き始めるときにシャッター５５が受けるオープナ６１からの圧力は、シャッター５５を開放するように作用する開放力ｄと、カートリッジ５４をディスク装置本体５１から排出する方向に作用する分力ｅとにより構成される。開放力ｄに対し分力ｅの方が大きく発生するので、シャッター５５がカートリッジ５４の本体に強く押しつけられてしまう。その結果、シャッター５５の開放動作のローディング負荷が大きくなり、カートリッジ搬送の負荷が大きくなるという問題が生じる。また、同様な理由で、シャッター５５とカートリッジ５４本体との間で削れが発生し、シャッターが開閉しなくなるなどの問題も生じる。
【０００９】
本発明は、上記事情に鑑みてなされたものであって、その目的とするところは、カートリッジのシャッター開放動作におけるローディング負荷を軽減できるディスク装置を提供することにある。
【００１０】
【課題を解決するための手段】
本発明によるディスク装置は、情報を記録または再生するためのディスクを収納してるカートリッジが装着されるディスク装置であって、該カートリッジは該ディスクを露出するように開放できるシャッターを有し、
該ディスク装置は、該カートリッジを非装着状態から装着状態へ搬送するディスク搬送部と、該シャッターを、該カートリッジの搬送方向に直交するスライド方向に開放させるオープナと、を備えており、該カートリッジの該搬送方向における先端面は、該搬送方向に平行な第１の先端面および該スライド方向に平行な第２の先端面を有しており、該第１の先端面に該オープナからの該スライド方向における押圧力が与えられることにより該シャッターが開放するようになっており、
該オープナは、該シャッターの開放動作の少なくとも略前半において、該第１の先端面に押圧力を与えるが、該第２の先端面には実質的に押圧力を与えないようになっており、そのことにより上記目的が達成される。
【００１１】
前記オープナは、好ましくは、前記シャッターの開放動作の少なくとも略前半において、前記第１の先端面に接するが、前記第２の先端面には接しないようになっている。
【００１２】
前記ディスク搬送部は、前記搬送方向における該カートリッジの外側に設けられた押圧部を備えており、前記シャッターの開放動作の少なくとも略前半において、該押圧部が前記オープナに接触するようになっている。
【００１３】
好ましくは、前記接触の接触点と前記第２の先端面との間隔は、該接触点と該オープナの該カートリッジに最も近い表面との間隔より大きい。
【００１４】
ある実施形態では、前記オープナと前記押圧部は、前記シャッターの開放動作の略前半において互いに接触し、該シャッターの開放動作の略後半においては互いに接触しないように構成されている。
【００１５】
【発明の実施の形態】
以下に、本発明によるディスク装置の実施形態について図面を参照しながら説明する。
【００１６】
図１は、本発明の１実施形態であるディスク装置１００の要部構成を示す上面平面図である。ディスク装置１００は大きく分けて、ディスク装置本体１およびトレイ２（ディスク搬送部）により構成される。トレイ２は、ディスク３を収納したカートリッジ４を、ディスク装置本体１に対し非装着状態から装着状態になるように方向Ｔ（搬送方向、挿入方向）に沿って搬送、または装着状態から非装着状態になるように方向Ｔに反対の方向Ｔ'に沿って搬送するためのものである。カートリッジ４は、ディスク３を露出するように開放できるシャッター５を備えている。図１は、トレイ２がディスク装置本体１の外にある状態、すなわちカートリッジ４が非装着状態の場合の様子を示している。
【００１７】
以下に、図１さらに図２を参照しながら、ディスク装置１００の構成をより詳細に説明する。図２は、ディスク装置１００の要部構成の側面図であり、トレイ２部分の図１における線ＩＩ-ＩＩに沿った断面図、およびディスク装置本体１部分の図１に示す方向Ｄから見た場合の透視図を含む。
【００１８】
ディスク装置本体１は天板８を備えている。天板８は、クランプアーム９、オープナ１２（シャッター開閉部）を保持している。クランプアーム９にはクランパ１１が回動自在に保持されており、クランパ１１は、クランプアーム９により駆動され、ディスク３をディスク装置本体１のディスクモータ１８に押圧する。クランプアーム９にはさらにクランプアームバネ１０が設けられており、クランプアームバネ１０によりクランプアーム９の復帰力が発生する。
【００１９】
オープナ１２はカートリッジ４のシャッター５を開放するための手段であり（シャッター５をクロスするのに寄与することもできる）、オープナ１２装着回動軸１４を中心に回動自在に保持されている。オープナ１２にはオープナバネ１３が設けられており、バネ掛け用窓１６より突出したバネ掛け凸部１５と、天板８に設けられたバネフック１７との間に支持され、オープナ１２を所定の位置に復帰させる。
【００２０】
カートリッジ４がディスク装置本体１内に搬送される途中に、カートリッジ４のシャッター５は、オープナ１２の先端部１２ｂに当たり、オープナ１２からの押圧力によりスライド方向Ｓにスライドする。このスライド動作によりシャッター５はディスク３を露出するように開放する。この開放動作については後でより詳しく説明する。
【００２１】
ディスク装置本体１は、さらにモータ支持ベース１９を有する。モータ支持ベース１９は、ディスクモータ１８、位置決めピン２０、カートリッジ支持ピン２１などを保持している。モータ支持ベース１９は、図２に示されるように、カートリッジ４の非装着状態の場合では傾斜して（すなわち、好ましくは方向Ｔに沿っていないこと）、カートリッジ４の挿入に対して待避している。カートリッジ４が装着されると、モータ支持ベース１９は、カートリッジ４に近づいて傾斜状態から、方向Ｔに沿うような状態、好ましくは水平状態に変わる。位置決めピン２０は、ディスク装置本体１内に搬入されたカートリッジ４の位置決め孔６と係合することで、カートリッジ４の水平方向および高さ方向の位置決めを行なう。カートリッジ支持ピン２１は、カートリッジ４の高さ方向の位置決めを行なう。
【００２２】
本発明のディスク装置１００において、トレイ２（ディスク搬送部）は、挿入方向Ｔにおけるカートリッジ４の外側に設けられた押圧手段７を備えている。押圧手段７とオープナ１２との共同作用により、カートリッジ３がディスク装置本体１内に搬送されるとき、オープナ１２は、その先端部１２ｂがシャッター５のスライド方向Ｓに沿う（好ましくはスライド方向Ｓに平行な）先端面に接触する直前に、スライド方向Ｓに回転するようになっている。この構成により、シャッター５の開放動作が行なわれる際に、オープナ１２による、カートリッジ４をディスク装置本体１から排出する方向の分力の発生が防げる。
【００２３】
このような作用を得るために、本発明におけるオープナ１２（シャッター開閉部）は、図１に示されるように、シャッター５の開放動作におけるオープナ１２の回転方向Ｒに反対する側のエッジ線が、弧状の部分（カム部）１２ａを有するようになっている。さらに、カム部１２ａより回動軸１４に近い部分に、回転方向Ｒに凹む逃げ部１２ｃが設けられている。
【００２４】
以下に、上記のような押圧手段７およびオープナ１２を備えたディスク装置１００によるカートリッジ４の装着動作を説明する。
【００２５】
図１および２に示すカートリッジ非装着状態において、トレイ２およびカートリッジ４はディスク装置本体１の外側にある。また、モータ支持ベース１９は斜めに傾斜し、トレイ２およびカートリッジ４の挿入に対して待避している。この状態からカートリッジ装着状態に向けて、トレイ２およびカートリッジ４は、ディスク装置本体１内へ水平方向（挿入方向Ｔ）に摺動を開始する。
【００２６】
図３は、図１に対応し、カートリッジ４が非装着状態から装着状態に搬送される途中の状態を示す。この途中状態に至った時点において、オープナ１２の先端部１２ｂがカートリッジ４のシャッター５に接触し始める。図４（ａ）は図３に示すシャッター５とオープナ１２との接触部分を拡大して示している。
【００２７】
図３および４（ａ）に示される状態の時点で、好ましくは、オープナ１２の先端部１２ｂが挿入方向Ｔと直角な先端面Ｆ２（第２の先端面）と接触する直前に、押圧手段７はカム部１２ａと接触を開始する。このことにより、オープナ１２の先端部１２ｂは、シャッター５の第２の先端面Ｆ２には接触せず、挿入方向Ｔに沿うような、好ましくは挿入方向Ｔに平行な先端面Ｆ１（第１の先端面）にのみ接触する形で、シャッター５にスライド方向Ｓの圧力を与え、シャッター５の開放動作を行う。この開放動作において、押圧手段７は、カム部１２ａに接触しながら回動軸１４側に向ってカム部１２ａを滑る。この滑り動作により、オープナ１２を回動軸１４を中心に回転方向Ｒに回転させる力が発生する。
【００２８】
開放動作の過程において、オープナ１２が第１の先端面Ｆ１に接するが、第２の先端面Ｆ２には接しないようにするためには、本発明において、図４（ａ）に示されるように、好ましくは、押圧手段７とカム部１２ａとの接触点Ｅと第２の先端面Ｆ２との間隔Ｌ１が、接触点Ｅとオープナ１２のカートリッジ４に最も近い表面との間隔Ｌ２より大きいという関係が維持される。こうすることで、スライド方向Ｓにのみ発生する押圧力によりシャッター５が徐徐に開放される。
【００２９】
この構成によれば、シャッター５は、カートリッジ４の挿入方向Ｔの反対方向に押さえつけられることなく開放動作を行うことができる。その結果、シャッター５の開放時に発生するローディング負荷を軽減し、シャッター５とカートリッジ４本体との間の削れを防止することができる。
【００３０】
カム部１２ａと押圧手段７とはシャッター５の開放動作の全過程に渡って常に接触するようにしてもよいが、本実施形態では、その接触の期間を適宜制限するようにしている。シャッター５の開放動作の略前半、すなわちシャッター５のスライド方向Ｓにおけるスライド距離がシャッター５が全開となる場合のスライド距離の半分程度となるまでは、カム部１２ａと押圧手段７との接触を維持するようになっている。一方、シャッター５の開放動作の略後半、すなわち上記の開放動作の略前半以降の開放動作においては、カム部１２ａと押圧手段７との接触を解除するようになっている。シャッター５の開放動作後半においては、シャッター５をカートリッジ４の挿入方向Ｔの反対方向に押圧するオープナ１２による分力が十分に小さくなるので、カム部１２ａと押圧手段７との接触を解除してもオープナ１２はシャッター５を安定して支持できる。このことを考慮し、本実施形態において、シャッター５の開放動作の後半において、オープナ１２がシャッター５から外れるなどのおそれを防止しシャッター５の開放位置を安定にする目的で、カム部１２ａと押圧手段７との接触を解除するように、オープナ１２の形状が設計されている。
【００３１】
シャッター５開放動作の後半を経て、押圧手段７はオープナ１２の逃げ部１２ｃに入るようになる。逃げ部１２ｃ内においても、押圧手段７は好ましくはオープナ１２に接しないようになっている。
【００３２】
本実施形態の説明では、図４（ａ）に示されるように、シャッター５の挿入方向Ｔにおける先端面に段差（第１の先端面Ｆ１の部分）が設けられており、この段差部に、オープナ１２の先端部１２ｂが開放動作時に引っ掛かるようになっている。このようなシャッター５をもつカートリッジの代わり、図４（ｂ）に示されるように、シャッター５の挿入方向Ｔにおける先端面を平らにして、その平らな先端面の端にオープナ１２の先端部１２ｂが引っ掛かるようにシャッター５の開放動作を行っても、本発明が適用できることは理解できる。図４（ｂ）の場合、本願発明で定義されている第１の先端面Ｆ１は、図示されているように、シャッター５の平らな先端面の端部となり、第２の先端面Ｆ２は、シャッター５により覆われていないカートリッジ４の本体の挿入方向における先端面となる。図４（ｂ）に示されるようなシャッター５の場合でも、その開放動作において、オープナ１２による、カートリッジ４をディスク装置本体１から排出する方向の分力の発生を防ぐことができ、シャッター５の開放動作のローディング負荷を低減することができる。
【００３３】
以下に、図５を参照しながら、本実施形態におけるオープナ１２の形状の設計方法について説明する。図５はシャッターの開放動作における、シャッター５、押圧部７およびオープナ１２の一連の位置を示す。本発明の効果を得るのに重要なのは、オープナ１２の回転方向Ｒの反対側、すなわちシャッター５開放動作において押圧手段７に接触する側、のカム部１２ａを含むエッジ曲線の形状である。以下の説明はこのエッジ曲線の形状の設計方法に関する。図面の見やすさのために、図５において、オープナ１２の回転方向Ｒの反対側のカム部１２ａを含むエッジ曲線のみが示されている。
【００３４】
カートリッジ４は、トレイ２によりディスク装置本体１に向って挿入方向Ｔに沿って搬入され、位置Ａにあるオープナ１２の先端部１２ｂと始めて接するようになる。位置Ａにおいて、オープナ１２の先端部１２ｂはシャッター５の第１の先端面Ｆ１に接する。この時点でシャッター５がさらにオープナ１２に近づき、その第２の先端面Ｆ２がオープナ１２の先端部１２ｂに接することを避けるためには、位置Ａにあるオープナ１２は、そのカム部１２ａがトレイ２に設けられている押圧手段７に当たるようにしなければならない。そうすると、図示している押圧手段７の挿入方向Ｔにおける先頭部の点ａが、押圧手段７とオープナ１２との接触点（エッジ点）となる。
【００３５】
カートリッジ４がさらに挿入方向Ｔに進み、オープナ１２の先端部１２ｂが位置Ｂまで回転する。一方、押圧手段７は、トレイ２上に設けられているので、カートリッジ４と同等な距離を移動する。位置Ｂにおいて、シャッター５の第２の先端面Ｆ２がオープナ１２の先端部１２ｂに接することを避けるためには、位置Ｂにあるオープナ１２は、そのカム部１２ａがトレイ２に設けられている押圧手段７に当たっている状態にしなければならない。そうすると、押圧手段７の挿入方向Ｔにおける先頭部の点ｂが、押圧手段７とオープナ１２との接触点（エッジ点）となる。
【００３６】
カートリッジ４がさらに挿入方向Ｔに進み、オープナ１２の先端部１２ｂが位置Ｃまで回転する。位置Ｃにおいて、シャッター５の第２の先端面Ｆ２がオープナ１２の先端部１２ｂに接しないようにするためには、位置Ｃにあるオープナ１２は、そのカム部１２ａがトレイ２に設けられている押圧手段７に当たっている状態にしなければならない。そうすると、押圧手段７の挿入方向Ｔにおける先頭部の点ｃが、押圧手段７とオープナ１２との接触点（エッジ点）となる。
【００３７】
カートリッジ４がさらに挿入方向Ｔに進み、オープナ１２の先端部１２ｂが位置Ｄまで回転する。このときは、シャッター５のスライド方向Ｓにおけるスライド距離が全開の場合（オープナ１２が位置Ｇにある場合）のスライド距離の半分程度となっている。この場合は、前で述べたようにオープナ１２の先端部１２ｂが第２の先端面Ｆ２に接してもよいので、オープナ１２のカム部１２ａを押圧手段７に当たっている状態にする必要はない。このため、押圧手段７の挿入方向Ｔにおける先頭部近傍の押圧手段７から若干離れた点ｄを、オープナ１２のエッジ点とする。
【００３８】
カートリッジ４がさらに挿入方向Ｔに進み、オープナ１２の先端部１２ｂが位置Ｅさらに位置Ｆまで回転する。位置Ｅおよび位置Ｆの場合でも、上記の位置Ｄの場合と同様に、それぞれオープナ１２のエッジ点ｅ，ｆを決める。最後のシャッター５の全開状態に対応する位置Ｇの場合においては、押圧手段７に接しないがそれを囲むようなエッジ線ｇを決める。
【００３９】
このように得られる一連のエッジ点ａ，ｂ，ｃ，ｄ，ｅ，ｆ，......およびエッジ線ｇをつなぐようにエッジ曲線を描く。得られたエッジ曲線の形状に略等しい形状を有するように、カム部１２ａおよび逃げ部１２ｃを形成すれば本発明におけるオープナ１２が得られる。この設計方法において、エッジ点を多く設定すればする程、より理想的なエッジ曲線が得られることは言うまでもない。
【００４０】
オープナ１２の回転方向Ｒの反対側のエッジ曲線の形状は、押圧手段７とカートリッジ４との相対位置、具体的には、押圧手段７とカートリッジ４の第１の先端面Ｆ１との間隔、および押圧手段７とカートリッジ４の第２の先端面Ｆ２との間隔にも関係する。このため、押圧手段７とカートリッジ４との相対位置が変わると、上述した設計方法により得られるオープナ１２の形状も変わることは容易に理解できる。
【００４１】
本発明におけるオープナ１２および押圧手段７は、摩擦係数の極めて小さい、たとえばポリアセタールのような材質で構成することが好ましい。これにより、カム部１２ａと押圧手段７との接触部に発生する摩擦力を小さくできる。さらに押圧手段７をローラのような回転する構造とすれば、カム部１２ａと押圧手段７との接触部に発生する摩擦力をさらに小さくすることができる。
【００４２】
以下に、図６および７を参照しながら、カートリッジ４がディスク装置本体１内に装着されている状態、すなわちシャッター５の全開状態のディスク装置１００を説明する。図６は、図１に対応し、カートリッジ装着状態のディスク装置１００の要部構成を示す上面平面図である。図７は、ディスク装置１００の要部構成の、図６に示す方向Ｄから見た場合の透視図である。
【００４３】
図６および７に示すように、カートリッジ装着状態においては、トレイ２およびカートリッジ４は完全にディスク装置本体１内に収納されている。この状態において、カートリッジ４のシャッター５は完全に開放された状態となり、押圧手段７は逃げ部１２ｃに位置しオープナ１２とは接触していない。なお、カム部１２ａは、シャッター５が開放されたときにできる厚さ方向の空間に位置するため、カートリッジ４とは接触により互いに干渉することはない。トレイ２およびカートリッジ４が完全にディスク装置１内に収納されたとき、斜めに傾斜し待避していたモータ支持ベース１９（図２参照）が挿入方向Ｔに平行な位置、好ましくは水平位置に移動する。このとき、カートリッジ４が位置決めピン２０およびカートリッジ支持ピン２１により位置決めされると同時に、ディスク３はディスクモータ１８に載置され、クランパ１１により押圧固定される。
【００４４】
図６および７に示されるカートリッジ装着状態から、カートリッジ４をディスク装置本体１から排出する場合の動作は次の通りである。まず、モータ支持ベース１９が斜めに傾斜し待避した後、トレイ２およびカートリッジ４が排出方向（挿入方向Ｔの反対方向、好ましくは水平方向となる）に摺動を開始する。トレイ２の摺動により、逃げ部１２ｃに位置していた押圧手段７が徐々にカム部１２ａとの接触を開始し、オープナ１２の先端部１２ｂが、シャッター５自身の復帰力とオープナバネ１３の復帰力とを支えながら、徐々にカートリッジ４のシャッター５を閉じる。シャッター５が閉じられた後、トレイ２とカートリッジ４はさらに水平方向に搬送されカートリッジ排出位置（図１に示されるような非装着状態）まで摺動する。
【００４５】
【発明の効果】
以上のように本発明によれば、カートリッジのシャッター開放時において、シャッターはカートリッジに押さえつけられることなく、シャッターのスライド方向にのみ開放力が発生する。このため、シャッター開放時のローディング負荷が軽減され、シャッターのスライドによるシャッターとカートリッジ本体との間の削れを防止することができる。
【図面の簡単な説明】
【図１】本発明によるディスク装置のカートリッジ非装着状態での要部構成を示す平面図
【図２】図１に示すディスク装置の部分断面図を含む側面図
【図３】本発明によるディスク装置のカートリッジ装着途中状態での要部構成を示す平面図
【図４】図４（ａ）は図３に示すディスク装置の要部を示す拡大図、図４（ｂ）は図４（ａ）に対応し、本発明におけるシャッターの変形例を示す図
【図５】本発明によるディスク装置のオープナの形状の設計方法を説明するための図
【図６】本発明によるディスク装置のカートリッジ装着状態での要部構成を示す平面図
【図７】図６に示すディスク装置の側面図
【図８】従来のディスク装置の要部構成を示す平面図
【図９】図８に示す従来のディスク装置の部分断面図を含む側面図
【図１０】図１０（ａ）は従来のディスク装置のカートリッジ装着途中状態での要部構成を示す平面図、図１０（ｂ）はその部分拡大図
【符号の説明】
１  ディスク装置本体
２  トレイ
３  ディスク
４  カートリッジ
５  シャッター
６  位置決め孔
７  押圧手段
８  天板
９  クランプアーム
１０  クランプアームバネ
１１  クランパ
１２  オープナ
１２ａ  カム面
１２ｂ  先端部
１２ｃ  逃げ部
１３  オープナバネ
１４  回動軸
１５  バネ掛け凸部
１６  バネ掛け用窓
１７  バネフック
１８  ディスクモータ
１９  モータ支持ベース
２０  位置決めピン
２１  カートリッジ支持ピン
【図１】
0003644675.tif 000002
【図２】
0003644675.tif 000003
【図３】
0003644675.tif 000004
【図４】
0003644675.tif 000005
【図５】
0003644675.tif 000006
【図６】
0003644675.tif 000007
【図７】
0003644675.tif 000008
【図８】
0003644675.tif 000009
【図９】
0003644675.tif 000010
【図１０】
0003644675.tif 000011